(57)【要約】【課題】デジタル放送受信機のスピーカと外部音響機器に接続されたスピーカの音声信号の位相を利用者の聴覚によらず正確かつ簡単に合わせることが可能なデジタル放送受信機及び音声出力信号制御方法を提供する。【解決手段】デジタル放送受信機は、試験用音声信号を生成し外部音響機器に供給する試験用音声信号発生部と、前記外部音響機器が前記試験用音声信号を増幅し、前記外部音響機器に接続されたスピーカから発生した外部音声を取得するマイクロホンと、前記試験用音声信号発生部が生成した前記試験用音声信号と前記マイクロホンによって生成された外部音声信号との位相差を検出する位相差検出部と、前記位相差が所定の範囲内の場合には、音声信号の位相を反転させる位相反転部とを有する。【選択図】図３
2012160913.tif 000002
【特許請求の範囲】
【請求項１】
試験用音声信号を生成し外部音響機器に供給する試験用音声信号発生部と、
前記外部音響機器が前記試験用音声信号を増幅し、前記外部音響機器に接続されたスピーカから発生した外部音声を取得するマイクロホンと、
前記試験用音声信号発生部が生成した前記試験用音声信号と前記マイクロホンによって生成された外部音声信号との位相差を検出する位相差検出部と、
前記位相差が所定の範囲内の場合には、音声信号の位相を反転させる位相反転部と
を有するデジタル放送受信機。
【請求項２】
前記位相差検出部が検出した前記位相差が前記所定の範囲内の場合に前記位相反転部に前記音声信号の位相を反転させる位相反転判定部を有する請求項１に記載のデジタル放送受信機。
【請求項３】
前記所定の範囲は、９１度以上２７０度未満である請求項１または請求項２に記載のデジタル放送受信機。
【請求項４】
前記試験用音声信号は、サイン波である請求項１に記載のデジタル放送受信機。
【請求項５】
前記マイクロホンは、デジタル放送受信機の前面側に配置されている請求項１に記載のデジタル放送受信機。
【請求項６】
前記位相差の所定の大きさを設定する位相反転設定部を有する請求項１または請求項２に記載のデジタル放送受信機。
【請求項７】
試験用音声信号を生成し外部音響機器に供給する試験用音声信号発生部と、
前記外部音響機器が前記試験用音声信号により生成し前記外部音響機器に接続されたスピーカから発生した外部音声を取得するマイクロホンと、
前記試験用音声信号発生部が生成した前記試験用音声信号と前記マイクロホンによって生成された外部音声信号との位相差を検出する位相差検出部と、
前記位相差が所定の範囲内の場合には、前記外部音響機器に供給する音声信号の位相を反転させる位相反転部と
を有するデジタル放送受信機。
【請求項８】
前記所定の範囲は、９１度以上２７０度未満である請求項７に記載のデジタル放送受信機。
【請求項９】
試験用音声信号を生成して外部音響機器に供給し、
前記外部音響機器が前記試験用音声信号を増幅し、前記外部音響機器に接続されたスピーカから発生した外部音声をマイクロホンによって取得し、
前記試験用音声信号発生部が生成した前記試験用音声信号と前記マイクロホンによって生成された外部音声信号との位相差を検出し、
前記位相差が所定の範囲内の場合には、音声信号の位相を反転させる音声出力信号制御方法。
【請求項１０】
前記所定の範囲は、９１度以上２７０度未満である請求項９に記載の音声出力信号制御方法。
【発明の詳細な説明】
【技術分野】
【０００１】
本発明の実施形態は、デジタル放送を受信するデジタル放送受信機及びその音声出力信号制御方法に関する。
【背景技術】
【０００２】
近年、地上デジタル放送、ＢＳ／ＣＳデジタル放送が本格的に運用され、多くの番組が高画質、高音質で視聴できる環境が整ってきた。デジタル放送の音声についてはＣＤ（Compact Disc）並みの高音質放送が実現されており、ステレオ放送だけでなく５．１チャンネルサラウンド放送のような多チャンネル音声放送が可能となっている。
【０００３】
５．１チャンネルサラウンド放送を再生する場合には、左右のフロントスピーカ、センタースピーカ、左右のリヤスピーカ、そして低音のみを鳴らすサブウーファという６本のスピーカが使用される。デジタルテレビのようなデジタル放送受信機を用いて映像を見ながら５．１チャンネルサラウンド放送を楽しむときには、デジタルテレビのスピーカを左右のフロントスピーカあるいはセンタースピーカとして用い、他のチャンネルの音声はデジタルテレビに外部音響機器を接続し、その外部音響機器に接続されたスピーカを用いることが考えられる。
【０００４】
このとき、デジタルテレビのスピーカから発生される音声と外部音響機器に接続されたスピーカの位相がずれていると、良好な音場再生が得られず、場合によっては利用者が違和感を覚えることさえある。このように利用者が違和感を覚えたときに利用者がリモコンによってデジタルテレビのスピーカから発生される音声の位相を反転させることが提案されている。
【先行技術文献】
【特許文献】
【０００５】
【特許文献１】特開２００４−１１２３１７号公報
【発明の概要】
【発明が解決しようとする課題】
【０００６】
利用者の聴覚によって、位相のずれを判断する場合には、聴覚の個人差や利用者の視聴位置の違いによって位相のずれの感じ方に違いが生ずる。従って位相のずれを正確に判定するのは困難となる場合がある。利用者の聴覚に依らずに正確で簡便に位相ずれを補正できるデジタル放送受信機が求められている。
【０００７】
本発明の目的は、上記したような事情に鑑み成されたものであって、デジタル放送受信機のスピーカと外部音響機器に接続されたスピーカの音声の位相を利用者の聴覚によらず正確かつ簡単に合わせることが可能なデジタル放送受信機及び音声出力信号制御方法を提供することである。
【課題を解決するための手段】
【０００８】
上記目的を達成するために、実施形態によれば、デジタル放送受信機は、試験用音声信号を生成し外部音響機器に供給する試験用音声信号発生部と、前記外部音響機器が前記試験用音声信号を増幅し、前記外部音響機器に接続されたスピーカから発生した外部音声を取得するマイクロホンと、前記試験用音声信号発生部が生成した前記試験用音声信号と前記マイクロホンによって生成された外部音声信号との位相差を検出する位相差検出部と、前記位相差が所定の範囲内の場合には、音声信号の位相を反転させる位相反転部とを有する。
【図面の簡単な説明】
【０００９】
【図１】実施形態の構成の一例を示した概観斜視図。
【図２】実施形態に係るデジタル放送受信機の構成を示したブロック図。
【図３】実施形態に係る音声処理部の構成を示したブロック図。
【図４】外部音声信号の反転前と反転後の位相差の大きさの違いを比較した図。
【図５】外部音声信号の反転前と反転後の位相差の大きさの違いを比較した図。
【図６】外部音声信号の反転前と反転後の位相差の大きさの違いを比較した図。
【図７】外部音声信号の反転前と反転後の位相差の大きさの違いを比較した図。
【図８】外部音声信号の反転前と反転後の位相差の大きさの違いを比較した図。
【図９】音声信号反転制御の動作手順を示したフローチャート。
【図１０】第２の実施形態に係る音声処理部の構成を示したブロック図。
【図１１】第３の実施形態に係る音声処理部の構成を示したブロック図。
【発明を実施するための形態】
【００１０】
以下、実施形態について図面を参照しながら説明する。
【００１１】
（第１の実施形態）
図１は、実施形態の構成の一例を示した概観斜視図である。デジタル放送受信機１は、筐体２と、筐体２を支持するスタンド３を備えている。筐体２は前面側に液晶パネルやＰＤＰパネル等の表示パネル４が配置され、表示パネル４の背面側に表示パネル４を支持する図示しないフレームが配置されている。フレームには表示パネル４を駆動するための図示しない回路基板や電源回路が設置されている。
【００１２】
筐体２は、筐体２の前面側と上面、底面、両側側面の一部を覆う前面カバー５と、筐体２の背面側と上面、底面、両側側面の一部を覆う背面カバー６とによって外面が囲まれている。画面７は、表示パネル４の前面カバー５の窓部５ａの内側の表示部分である。デジタル放送受信機１の筐体２の背面には外部音響機器５０へ音声信号を送出するための音声出力端子８が設置されている。
【００１３】
デジタル放送受信機１の前面の下部の両側にスピーカ９が配置されている。右スピーカ９ａは、前面カバー５の前面下部の右側にあるネット状のカバー１０ａの内側に配置されている。左スピーカ９ｂは、前面カバー５の前面下部の右側にあるネット状のカバー１０ｂの内側に配置されている。なお、ネット状のカバー１０は、デジタル放送受信機１の概観デザインの都合によって、筐体２の底面側に配置されたり、背面側に配置される場合がある。スピーカ９もこれに対応して底面側や背面側に向けて配置される場合がある。また、スピーカ９の形状や設置場所によって、ネット状のカバーが利用されない場合もある。
【００１４】
デジタル放送受信機１の前面側の上部にマイクロホン１１が配置されている。マイクロホン１１は、前面カバー５の前面上部の粗中央にある開口部１２の内側に配置されている。マイクロホン１１は、外部音響機器５０に接続された外部スピーカ５１から放射された音声を取得し電気信号に変換する。なお、マイクロホン１１の設置位置は、前面側の上部に限るものではない。
【００１５】
リモコン１３は赤外線あるいはBluetooth（登録商標）等による無線通信を利用して、デジタル放送受信機１の操作受信部へ操作信号を送る操作機器である。
【００１６】
外部音響機器５０は、デジタル放送受信機１から送出された音声信号を受けてこの音声信号を増幅し、外部スピーカに出力する。外部スピーカ５１ａ、５１ｂは外部音響機器５０から送出された音声信号を音声に変換して音声を放出する。外部音響機器５０は、デジタル放送受信機１から複数の音声信号を受信することができる。また複数の増幅器を備えており、複数のスピーカを駆動することができる。
【００１７】
外部音響機器５０には音声入力端子５２が設けられており、この音声入力端子５２とデジタル放送受信機１の音声出力端子８の間は音声接続ケーブル５３によって接続されている。また外部音響機器５０にはスピーカ端子５４が設けられており、このスピーカ端子５４と外部スピーカ５１ａ、５１ｂの間はスピーカケーブル５５ａ、５５ｂによって接続されている。
【００１８】
図２は、実施形態に係るデジタル放送受信機１の構成を示したブロック図である。デジタル放送受信機１は、デジタル放送を受信可能であって、画面に放送番組の映像を表示するデジタルテレビ等の受信装置である。
【００１９】
アンテナ１５は、放送局３６から送信された放送電波を受信するための地上デジタル放送あるいは衛星デジタル放送用のアンテナである。チューナ１６は、地上デジタル放送、衛星デジタル放送あるいはケーブルテレビ放送の放送信号の中から所望のチャンネルの放送信号を選局する。チューナ１６は、複数のチューナユニットから構成されており、同時に複数の放送を受信することができる。アンテナ端子１６ａはアンテナ１５が接続される端子である。
【００２０】
復調器１７は、各々のデジタル放送の変調方式に対応して復調する。地上デジタル放送の信号は、ＯＦＤＭ（Orthogonal Frequency Division Multiplexing）復調で、衛星デジタル放送の信号は、ＰＳＫ（Phase Shift Keying）復調で、ＭＰＥＧ（Moving Picture Experts Group）−ＴＳ（Transport Stream）に復調され、デコード処理部１８に出力される。
【００２１】
デコード処理部１８は、ＭＰＥＧデコーダ、映像音声デコーダ等の機能を有する。デコード処理部１８は、復調器１７から送信されたＭＰＥＧ−ＴＳデータをセクション化して、番組情報のデータをデコードする。映像ＰＥＳ（Packetized Elementary Stream）に対しては映像ＥＳ（Elementary Stream)化、音声ＰＥＳに対しては音声ＥＳ化を行って映像データ及び音声データをデコードする。また、デコード処理部１８は、記録装置１９から入力された映像データ及び音声データをデコードする。
【００２２】
記録装置１９は、ＨＤＤ（Hard Disk Drive）、ＳＳＤ（Solid State Drive）あるいはＯＤＤ（Optical Disc Drive）等を含む記録手段である。記録装置１９には情報を記録再生するためのエンコーダとデコーダが搭載されており、該エンコーダとデコーダを介してＭＰＥＧ−ＴＳデータが記録再生形態に適したフォーマットに変調されＨＤＤ、ＳＳＤあるいはＯＤＤに記録され、また再生される。再生データは、デコード処理部１８でデコードされる。
【００２３】
重畳処理部２０は、デコード処理部１８からの映像データと、バス２５を介して転送されるデータ放送やＧＵＩ（Graphical User Interface）制御部３３によるウィンドウ描画をプレーン管理して、映像データとの重ね合わせを行い、映像処理部２１に送る。
【００２４】
映像処理部２１は、表示装置２２で表示可能なフォーマット（画素数、フレーム周波数、走査方式）に変換したり、表示色を任意に調整したりして、表示装置２２に出力して映像を画面７に表示させる。
【００２５】
音声処理部２３は、デコード処理部１８から伝送されたデジタルの音声データを、スピーカ９あるいはイヤーホーンで再生可能なアナログ音声信号に変換し増幅した後、スピーカ９あるいはイヤーホーンに出力して音声を再生させる。
【００２６】
音声処理部２３は、音声信号位相制御部２４の機能を有する。音声信号位相制御部２４は、試験用音声信号を使ってデジタル放送受信機１の試験用音声信号と外部スピーカ５１から放射された外部音声により生成された外部音声信号との位相差を検出する。外部音響機器５０が試験用音声信号を増幅し、外部音響機器５０に接続された外部スピーカ５１に送出し、外部スピーカ５１が発生した外部音声をマイクロホン１１により取得する。マイクロホンは外部音声信号を生成する。また音声信号極性制御部２４は、デコード処理部１８から伝送された音声データの位相を反転する機能を有する。
【００２７】
デジタル放送受信機１は、上記した受信動作を含むその全ての動作を制御部２６によって統括的に制御されている。制御部２６はＭＰＵ（Micro Processing Unit）２７が搭載されており、バス２５を介して接続された各構成要素を制御する。
【００２８】
ＲＡＭ（Random Access Memory）２８は、制御部２６のデータ処理に必要な各種データを格納するリードライトメモリであり、映像データ等を格納するバッファメモリとして動作する。ＲＯＭ（Read Only Memory）２９は読出し専用メモリであり、ＭＰＵ２７が実行する制御のプログラムなどを格納している。
【００２９】
フラッシュメモリ３０は、書き換え可能であり、電源を切ってもデータが消えない不揮発性の半導体メモリである。フラッシュメモリ３０は、録画番組情報、録画予約情報、各種機能の設定情報等を記憶する機能を有する。
【００３０】
操作受信部３１は、操作機器３２から送信される操作信号を受信し、制御部２６に転送する。操作機器３２は、例えば、赤外線あるいはBluetooth（登録商標）等による無線通信を利用したリモコン（リモートコントローラ、remote controller）１３、有線式あるいは無線式キーボード等であり、操作信号を送出する。操作受信部３１は、これらリモコン１３、キーボード等から操作信号を受信する。
【００３１】
制御部２６は、ＧＵＩ制御部３３、位相反転判定部３４、位相反転設定部３５の機能を有する。これらの機能は、制御部２６のＭＰＵ２７が実行するアプリケーションであり、通常はＲＯＭ２９に格納されており、使用時にはＭＰＵ２７によって読み出され実行される。
【００３２】
ＧＵＩ制御部３３は、ＧＵＩデータを生成し、この生成されたＧＵＩデータはバス２５を介して重畳処理部２０へ送信される。重畳処理部２０に送付されたＧＵＩデータは、例えば放送番組の映像データに重畳処理されたり、あるいはＧＵＩ単独画面として処理され、映像処理部２１へ伝送される。
【００３３】
位相反転判定部３４は、音声信号極性制御部２４から、デジタル放送受信機１の試験用音声信号と外部スピーカ５１から放射された試験用音声信号音による外部音声信号の位相差の検出信号を受信し、検出信号に応じて音声信号の位相を反転するか否かを判定し、位相を反転する場合には、音声信号極性制御部２４に位相反転を実行させる。
【００３４】
位相反転設定部３５は、音声信号反転制御の各種設定項目を設定し、設定情報をフラッシュメモリ３０に記憶させる。音声信号反転制御については後述する。
【００３５】
図３は、実施形態に係る音声処理部２３の構成を示したブロック図である。音声処理部２３は、音声信号位相制御部２４、音声信号増幅部３７、外部音声信号増幅部３８により構成されている。音声信号極性制御部２４は、位相反転部３９、試験用音声信号発生部４０、位相差検出部４１、切り替え部４２により構成されている。
【００３６】
位相反転部３９は、デコード処理部１８から伝送された音声信号Ａ０の位相を反転する機能を有する。位相反転部３９は、位相反転判定部３４の指示に基づいてデコード処理部１８から伝送された音声信号Ａ０の位相を反転したり、反転しなかったりする。位相反転部３９を通過した音声信号は音声信号増幅部３７に送出される。
【００３７】
試験用音声信号発生部４０は、試験用音声信号Ａ１を生成する。試験用音声信号Ａ１は、例えば、周波数が１５０Ｈｚ〜２００Ｈｚ程度のサイン（sin）波である。この試験用音声信号Ａ１は、デジタル放送受信機１によって出力される音声と、外部音響機器５０に接続された外部スピーカ５１によって出力される音声の位相差を検出するために利用される。試験用音声信号Ａ１は、切り替え部４２を経由してデジタル放送受信機１の音声出力端子８に出力され、さらに音声出力端子８に接続された外部音響機器５０に出力される。また、試験用音声信号Ａ１は、位相差検出部４１にも送出される。
【００３８】
位相差検出部４１は、試験用音声信号発生部４０から送出された試験用音声信号Ａ１と、マイクロホン１１によって生成された外部音声信号Ａ３が外部音声信号増幅部３７によって増幅された外部音声信号Ａ４との位相差を検出する。検出された位相差の値は制御部２６の位相反転判定部３４へ送出される。
【００３９】
切り替え部４２は、音声出力端子８に出力される音声信号を切り替えるスイッチであり制御部２６によって切り替えられる。音声信号反転制御が実行される場合には４２ｃ側に切り替えられ、音声出力端子８には、試験用音声信号Ａ１が出力される。音声信号反転制御が実行されていないときには、４２ｂ側に切り替えられ、音声出力端子８には、デコード処理部１８から伝送された音声信号Ａ０が出力される。
【００４０】
音声信号増幅部３７は、位相反転部３９から伝送された音声信号を、スピーカ９で再生可能なアナログ音声信号に変換し増幅した後、スピーカ９あるいはイヤーホーンに出力して音声を再生させる。
【００４１】
外部音声信号増幅部３８は、マイクロホン１１によって生成された外部音声信号Ａ３を受けて、この外部音声信号Ａ３を位相差検出部４１が検出可能な大きさに調整し外部音声信号Ａ４とする。
【００４２】
次に音声信号反転制御について説明する。音声信号反転制御は、試験用音声信号Ａ１を使ってデジタル放送受信機１の試験用音声信号Ａ１と外部スピーカ５１から放射された外部音声Ａ２により生成された外部音声信号Ａ４との位相差を検出し、位相差が所定の範囲内の場合には、位相反転部３９にてデコード処理部１８から伝送された音声信号Ａ０の位相を反転する制御である。この制御により、デジタル放送受信機１のスピーカ９と外部音響機器５０に接続されたスピーカ５１の音声の位相を利用者の聴覚によらず正確かつ簡単に合わせることができる。位相差が所定の範囲外の場合には、反転処理は行わない。
【００４３】
試験用音声信号発生部４０から試験用音声信号Ａ１が、切り替え部４２を経由して音声出力端子８に出力される。試験用音声信号Ａ１が出力端子８に接続された外部音響機器５０に入力され、外部音響機器５０内で増幅されるなどして、外部音響機器５０に接続された外部スピーカ５１ａ、５１ｂから外部音声Ａ２として放出される。外部スピーカ５１ａ、５１ｂから放出された外部音声Ａ２をマイクロホン１１で取得し、マイクロホン１１が外部音声信号Ａ３に変換する。外部音声信号Ａ３は外部音声信号増幅器３８に送出され、外部音声信号増幅器３８にて増幅されるなどして調整され外部音声信号Ａ４となる。外部音声信号Ａ４は、位相差検出部４１へ送出される。
【００４４】
位相差検出部４１は、試験用音声信号発生部４０から受信した試験用音声信号Ａ１と外部音声信号増幅器３８から受信した外部音声信号Ａ４の位相差を検出する。２つの音声信号の位相差の検出については種々の方法が考案されており、適宜適用すればよい。また位相差の検出についてはデジタル信号で行う場合、あるいはアナログ信号で行う場合についても適宜適用すればよい。位相差検出部４１において検出された位相差は、デジタル信号に変換されて制御部２６の位相反転判定部３４へ送出される。
【００４５】
位相反転判定部３４は、位相差検出部４１から受信した位相差のデータを用いて、位相反転部３９に入力される音声信号Ａ０を反転するか否かを判定する。位相差が所定の範囲内の場合には、音声信号Ａ０の位相を反転させ、位相差が所定の範囲外の場合には、反転させない。所定の範囲とは、例えば位相差が９１度以上から２７０度未満である。この所定の大きさは利用者が画面７に表示されたＧＵＩ画面上で設定できる。設定値は、位相反転設定部３５によってフラッシュメモリ３０に記憶される。以上が音声信号反転制御の概要である。
【００４６】
図４乃至図８は、試験用音声信号Ａ１と外部音声信号Ａ４の位相差を示し、外部音声信号Ａ４の位相を反転する場合の反転前と反転後の位相差の大きさの違いを比較した図である。図４、図５、図６は、試験用音声信号Ａ１と外部音声信号Ａ４の位相差が９１度以上から２７０度未満の場合である。図７、図８は位相差が９１度未満、２７０度以上の場合である。
【００４７】
図４（ａ）において、試験用音声信号Ａ１（Ａ１信号）を実線で示す。外部音声信号Ａ４（Ａ４信号）を破線で示す。Ａ４信号はＡ１信号に対して約１１０度位相がずれている。この位相のずれを位相差Ｄ１で示す。所定の範囲（例えば、位相差が９１度以上から２７０度未満の部分）をハッチングで示す。この場合には位相差Ｄ１はハッチングの範囲内にある。図４（ｂ）において、Ａ４信号の位相を反転した信号を細かい破線で示す。Ａ１信号に対するこのＡ４信号の反転信号の位相のずれを位相差Ｄ２で示す。位相差Ｄ２は位相差Ｄ１より小さくなっていることが分かる。
【００４８】
図５（ａ）において、Ａ４信号はＡ１信号に対して約２００度位相がずれている。この位相のずれを位相差Ｄ３で示す。所定の範囲（例えば、位相差が９１度以上から２７０度未満の部分）をハッチングで示す。この場合には位相差Ｄ３はハッチングの範囲（所定の範囲）内にある。図５（ｂ）において、Ａ４信号の位相を反転した信号を細かい破線で示す。Ａ１信号に対するこのＡ４信号の反転信号の位相のずれを位相差Ｄ４で示す。位相差Ｄ４は位相差Ｄ３より小さくなっていることが分かる。
【００４９】
図６（ａ）において、Ａ４信号はＡ１信号に対して約２５０度位相がずれている。この場合の位相のずれを位相差Ｄ５で示す。位相差Ｄ５は３６０度から約２５０度を引いた１１０度である。この場合においても位相差Ｄ５は、ハッチングの範囲（所定の範囲）内にある。図６（ｂ）において、Ａ４信号の位相を反転した信号を細かい破線で示す。Ａ１信号に対するこのＡ４信号の反転信号の位相のずれを位相差Ｄ６で示す。位相差Ｄ６は位相差Ｄ５より小さくなっていることが分かる。
【００５０】
図７（ａ）において、Ａ４信号はＡ１信号に対して約７０度位相がずれている。この位相のずれを位相差Ｄ７で示す。所定の範囲（例えば、位相差が９１度以上から２７０度未満の部分）をハッチングで示す。この場合には位相差Ｄ７はハッチングの範囲（所定の範囲）外にある。図７（ｂ）において、Ａ４信号の位相を反転した信号を細かい破線で示す。Ａ１信号に対するこのＡ４信号の反転信号の位相のずれを位相差Ｄ８で示す。位相差Ｄ８は位相差Ｄ７より大きくなっていることが分かる。
【００５１】
図８（ａ）において、Ａ４信号はＡ１信号に対して約２９０度位相がずれている。この位相のずれを位相差Ｄ９で示す。位相差Ｄ９は３６０度から約２９０度を引いた７０度である。位相差Ｄ９はハッチングの範囲（所定の範囲）外にある。図８（ｂ）において、Ａ４信号の位相を反転した信号を細かい破線で示す。Ａ１信号に対するこのＡ４信号の反転信号の位相のずれを位相差Ｄ１０で示す。位相差Ｄ１０は位相差Ｄ９より大きくなっていることが分かる。
【００５２】
以上のように、所定の範囲を、例えば位相差が９１度以上から２７０度未満とした場合に、位相差が所定の範囲内の場合には、音声信号Ａ４の位相を反転させることにより、反転前よりも反転後の位相差の方が小さくなる。位相差が所定の範囲外の場合には、反転すると、反転前よりも反転後の位相差の方が大きくなる。従って、位相差が所定の範囲外の場合には、反転させない方がよい。
【００５３】
図９は、音声信号反転制御の動作手順を示したフローチャートである。例えば、利用者がデジタル放送受信機１の設定画面を画面に表示させ、音声位相調整の項目を選択して実行すると、制御部２６は音声信号反転制御の処理を開始する。あるいは、位相反転設定部３５によってデジタル放送受信機１の電源が投入されたときに音声信号反転制御の処理を実行するように設定することでもよい。
【００５４】
Ｓ１１において、制御部２６は試験用音声信号発生部４０に試験用音声信号Ａ１を発生させ、試験用音声信号発生部４０は切り替え部４２と位相検出部４１へ送出する。制御部２６は音声信号反転制御の処理の開始と略同時に切り替え部４２の入力を４２ｃに切り替える。試験用音声信号Ａ１が外部音響機器５０の入力端子５２に供給される。
【００５５】
Ｓ１２にて、制御部２６はマイクロホン１１が外部音声Ａ２を検出できたかを確認する。具体的には外部音声信号増幅部３８に試験用音声信号Ａ１と同じ周波数の音声信号が入力されたかを確認する。外部音声Ａ２を検出できた場合には、Ｓ１３へ移り、検出できなかった場合にはＳ１４へ移る。
【００５６】
Ｓ１３において、位相差検出部４１は、試験用音声信号発生部４０から受信した試験用音声信号Ａ１と外部音声信号増幅器３８から受信した外部音声信号Ａ４の位相差を検出する。検出信号を制御部２６に送出する。
【００５７】
Ｓ１４において、制御部２６は、外部音声Ａ２が検出できなかったことを画面に表示し、また再試行するか表示して利用者に問い合わせる。Ｓ１５において、制御部２６は利用者から再試行の要求がなければ終了する。再試行の要求があればＳ１１に戻る。
【００５８】
Ｓ１６において、位相反転判定部３４は、位相差が所定の範囲内か否かを判定する。位相差が所定の範囲内の場合には、Ｓ１７へ移って試験用音声信号Ａ１の発生を停止し、Ｓ１９へ移る。位相差が所定の範囲外の場合には、Ｓ１８へ移って試験用音声信号Ａ１の発生を停止し、終了する。
【００５９】
Ｓ１９において、位相反転判定部３４は、位相反転部３９に音声信号Ａ０を反転させて終了する。
【００６０】
以上のように、デジタル放送受信機１の試験用音声信号Ａ１と、外部スピーカ５１から放射された外部音声Ａ２を元にマイクロホン１１により生成され、増幅された外部音声信号Ａ４との位相差を検出し、位相差が所定の範囲内の場合には、位相反転部３９にてデコード処理部１８から伝送された音声信号Ａ０の位相を反転させることにより、デジタル放送受信機１のスピーカ９と外部音響機器５０に接続されたスピーカ５１の音声の位相を利用者の聴覚によらず正確かつ簡単に合わせることができる。
【００６１】
（第２の実施形態）
図１０は、第２の実施形態に係る音声処理部の構成を示したブロック図である。この第２の実施形態の各部について、図３に示す第１の実施形態の各部と同一部分は同一符号である。この第２の実施形態が第１の実施形態と異なる点は、第１の実施形態では位相反転部３９がデコード処理部１８と音声信号増幅部３７の間に配置されていたのに対して、第２の実施形態では位相反転部３９がデコード処理部１８と切り替え部４２の間に配置されている構成となっていることである。従って音声処理部２３内における音声信号位相制御部２４内の位相反転部３９の位置が異なっている。
【００６２】
音声信号Ａ０を反転する場合に、第１の実施形態ではデジタル放送受信機１内で増幅される音声信号を反転したのに対し、第２の実施形態では外部音響機器５０で増幅される音声信号を反転させる。このようにすることによっても、第１の実施形態と同様にデジタル放送受信機１のスピーカ９と外部音響機器５０に接続されたスピーカ５１の音声の位相を利用者の聴覚によらず正確かつ簡単に合わせることができる。
【００６３】
（第３の実施形態）
図１１は、第３の実施形態に係る音声処理部の構成を示したブロック図である。この第３の実施形態の各部について、図３に示す第１の実施形態の各部と同一部分は同一符号である。この第３の実施形態が第１の実施形態と異なる点は、第１の実施形態では外部音声を取得するのにマイクロホン１１を用いていたが、第３の実施形態ではマイクロホン１１の代わりにスピーカ９ａ、９ｂを用いた構成となっていることである。スピーカ９ａ、９ｂを用いて外部音声Ａ２を音声信号Ａ３に変換することは可能である。音声処理部４５内の外部音声信号増幅器４６の増幅率をスピーカ９ａ、９ｂの変換性能に合わせて適宜変更すればよい。
【００６４】
このようにすることによっても、第１の実施形態と同様にデジタル放送受信機１のスピーカ９と外部音響機器５０に接続されたスピーカ５１の音声信号の位相を利用者の聴覚によらず正確かつ簡単に合わせることができる。
【００６５】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に異なる実施形態に亘る構成要素を適宜組み合わせてもよい。
【符号の説明】
【００６６】
１  デジタル放送受信機
７  画面
８  音声出力端子
９  スピーカ
９ａ  右スピーカ
９ｂ  左スピーカ
１１  マイクロホン
１６  チューナ
１７  復調器
１８  デコード処理部
２３  音声処理部
２４  音声信号位相制御部
２６  制御部
２７  ＭＰＵ
２８  ＲＡＭ
２９  ＲＯＭ
３０  フラッシュメモリ
３３  ＧＵＩ制御部
３４  位相反転判定部
３５  位相反転設定部
３７  音声信号増幅部
３８  外部音声信号増幅部
３９  位相反転部
４０  試験用音声信号発生部
４１  位相差検出部
４２  切り替え部
４３  音声処理部
４４  音声信号位相制御部
４５  音声処理部
５０  外部音響機器
５１  外部スピーカ
５１ａ  左外部スピーカ
５１ｂ  右外部スピーカ
Ａ０  音声信号
Ａ１  試験用音声信号
Ａ２  外部音声
Ａ３  外部音声信号
Ａ４  外部音声信号
【図１】
2012160913.tif 000003
【図２】
2012160913.tif 000004
【図３】
2012160913.tif 000005
【図４】
2012160913.tif 000006
【図５】
2012160913.tif 000007
【図６】
2012160913.tif 000008
【図７】
2012160913.tif 000009
【図８】
2012160913.tif 000010
【図９】
2012160913.tif 000011
【図１０】
2012160913.tif 000012
【図１１】
2012160913.tif 000013